(57)【要約】      （修正有）【課題】ヘッドボックスから吊り下げられるスラットを回転操作可能な操作棒と、スラットを開閉操作可能な操作コードと、を有するブラインドに用いられ、操作コードを係止するための操作コード用係止具を提供する。【解決手段】ブラインドの操作コード１４０を係止するための操作コード用係止具１５０は、操作棒１３０に固定するための連結部を有するベース２００と、ベース２００に対して回動可能に軸支されるフック３００と、を備え、操作棒１３０あるいはベース２００とフック３００とによって形成される空隙において操作コード１４０を保持する。これにより、操作コードの操作を行わないときには、操作コードが大きく垂れ下がることを防止し、操作したいときには、すぐに操作に移行することができる。【選択図】図８
2016056583.tif 000002
【特許請求の範囲】
【請求項１】
ヘッドボックス（１１０）から吊り下げられるスラット（１２０）を回転操作可能な操作棒（１３０）と、スラットを開閉操作可能な操作コード（１４０）と、を有するブラインドに用いられ、前記操作コードを係止するための操作コード用係止具（１５０）であって、
前記操作棒に固定するための連結部を有するベース（２００）と、
前記ベースに対して回動可能に軸支されるフック（３００）と、
を備え、
前記操作棒あるいは前記ベースと前記フックとによって形成される空隙において前記操作コードを保持できることを特徴とする、ブラインドの操作コード用係止具。
【請求項２】
前記フックには、前記フックを回動操作するための操作部（３２０）が形成されることを特徴とする、請求項１に記載のブラインドの操作コード用係止具。
【請求項３】
前記フックの端部には前記操作棒あるいは前記ベースに向かって突出する凸部（３４０）が形成されていることを特徴とする、請求項１又は２に記載のブラインドの操作コード用係止具。
【請求項４】
前記フックには、前記ベースに向かって突出する挟着片（３３０）が形成されており、
前記挟着片と前記操作棒あるいは前記ベースとの間で、前記操作コードが自重による移動が不能となるように挟着されることを特徴とする、請求項１〜３のいずれかに記載のブラインドの操作コード用係止具。
【請求項５】
前記ベースは、前記ベースが前記フックを軸支する側において前記操作棒の外周面を包囲するように設けられる連結部（２１０）と、前記操作棒の軸方向に沿って前記フックのほぼ全長にわたって設けられる延長部（２２０）と、からなることを特徴とする、請求項１〜４のいずれかに記載のブラインドの操作コード用係止具。
【発明の詳細な説明】
【技術分野】
【０００１】
本発明は、ブラインドから垂れ下がる操作コードを係止するための操作コード用係止具に関する。
【背景技術】
【０００２】
ブラインドから垂れ下がる操作コードを係止するための操作コード用係止具としては、実用新案登録第３００１４０６号公報（特許文献１）に開示されているものがある。特許文献１に開示される操作コード用係止具は、操作棒の軸方向に所定間隔をあけて２か所に設けられたフックよりなり、これら２つのフック間にわたって操作コードを巻き掛けて係止するものである。フックは、操作棒に固定するための連結部を有するベースと、ベースから「Ｔ」字状に突出し、操作コードが巻き掛けられる突出部と、を備える。そして、突出部の「Ｔ」字の一方の片と連結部とによって、昇降コードを挟付け可能な溝状の挟持部が形成されている。
【０００３】
このような従来の操作コード用係止具では、スラットを上昇操作すると操作コードの垂れ下がり量が多くなるが、２つのフック間にわたって操作コードを巻き掛けた後に、操作コードの端部を挟持部に巻き掛けることにより、操作コードが挟持部に弾性的に挟付けられて保持される。これにより、操作コードがフックから容易に巻き解かれてしまうことを防止することができる。
【先行技術文献】
【特許文献】
【０００４】
【特許文献１】実用新案登録第３００１４０６号公報
【発明の概要】
【発明が解決しようとする課題】
【０００５】
しかしながら、上記従来の操作コード用係止具では、スラットの昇降操作を行わないときは、操作コードが２つのフック間に渡って巻き掛けられた状態にある。このため、スラットの昇降操作を行うにあたっては、操作コードを２つのフックから巻き解く作業が必要となる。よって、操作コードを操作したいときに、すぐに操作に移行できないという問題があった。
【０００６】
そこで本発明は、このような問題に鑑みてなされたもので、その目的とするところは、操作コードの操作を行わないときには、操作コードが大きく垂れ下がることを防止し、操作したいときには、すぐに操作に移行できるブラインドの操作コード用係止具を提供することにある。
【課題を解決するための手段】
【０００７】
上記課題を解決するために、本発明によれば、ヘッドボックスから吊り下げられるスラットを回転操作可能な操作棒と、スラットを開閉操作可能な操作コードと、を有するブラインドに用いられ、前記操作コードを係止するための操作コード用係止具であって、前記操作棒に固定するための連結部を有するベースと、前記ベースに対して回動可能に軸支されるフックと、を備え、前記操作棒あるいは前記ベースと前記フックとによって形成される空隙において前記操作コードを保持できることを特徴とする、ブラインドの操作コード用係止具が提供される。
【０００８】
かかる構成によれば、スラットの開閉操作を行わないときは、回動可能なフックと操作棒との間に形成された空隙に垂れ下がった操作コードを収容することで、操作コードが大きく垂れ下がることを防止できるとともに、スラットの開閉操作を行うときは、フックを回動して操作棒との間の空隙を拡げることで、操作コードが一度に再び垂れ下がって操作可能な状態に復帰できる。このようにして、素早く操作コードの操作に移行することができる。
【０００９】
また、操作コードをフックと操作棒あるいはベースとの間の空隙に収容する構造としたことで、操作コードが複数本あったり、複数回折り返したりしても空隙に収めて保持することができる。
【００１０】
本発明において、前記フックには、前記フックを回動操作するための操作部が形成されるようにしてもよい。これにより、操作部を操作することによって、フックが回動するため、フックを回動させる操作が容易になる。
【００１１】
また、前記フックの端部には前記ベースに向かって突出する凸部が形成されているようにしてもよい。これにより、フックと操作棒あるいはベースとの間の空隙に収容された操作コードが操作コード用係止具から脱落することを、凸部によって防止できる。
【００１２】
さらに、前記フックには、前記操作棒あるいは前記ベースに向かって突出する挟着片が形成されており、前記挟着片と前記操作棒あるいは前記ベースとの間で、前記操作コードが自重による移動が不能となるように挟着されるようにしてもよい。これにより、挟着片と操作棒あるいはベースとの間で操作コードを挟み込むようにしたことで、複数に束ねられた操作コードが自重で操作コードの長さ方向に移動して操作コード用係止具から脱落することを防止できる。
【００１３】
また、前記ベースは、前記ベースが前記フックを軸支する側において前記操作棒の外周面を包囲するように設けられる連結部と、前記操作棒の軸方向に沿って前記フックのほぼ全長にわたって設けられる延長部と、からなるようにしてもよい。これにより、操作コード用係止具の操作棒への連結作業がしやすくなる。さらに、フックの操作部側あるいは連結部側においてベースに何らかの外力がかかっても、延長部が操作棒に当接した状態にあって連結部の外れ止めになるため、係止具が操作棒から不用意に外れてしまうことを防止できる。
【発明の効果】
【００１４】
本発明によれば、操作コードの操作を行わないときには、操作コードが大きく垂れ下がることを防止し、操作したいときには、すぐに操作に移行することができる。なお、本発明のその他の効果は、本明細書及び図面の全体から明らかにされる。
【図面の簡単な説明】
【００１５】
【図１】第１の実施形態に係る操作コード用係止具を実施したブラインドの全体構成を示す正面図である。
【図２】操作コード用係止具の分解斜視図である。
【図３】操作コード用係止具の斜視図である。
【図４】操作コード用係止具の断面図である。
【図５】操作コード用係止具を操作棒に取り付けた状態を示す斜視図である。
【図６】すべてのスラットが上昇した状態であって、操作コードを操作コード用係止具に係止させる前の状態を示すブラインドの正面図である。
【図７】操作コードの一部を引き上げた状態を示す図であり、（ａ）は正面図であり、（ｂ）は（ａ）のときの操作コード用係止具の断面図であり、（ｃ）は（ａ）のときの操作コード用係止具の側面図である。
【図８】操作コード用係止具に操作コードを係止させる際に、フックを操作した状態を示す図であり、（ａ）は断面図であり、（ｂ）は側面図である。
【図９】操作コード用係止具に操作コードを係止させた状態を示す図であり、（ａ）は断面図であり、（ｂ）は側面図である。
【図１０】操作コード用係止具に操作コードが係止された状態を示す斜視図である。
【図１１】図６において、操作コードを操作コード用係止具に係止させた状態を示す正面図と、図中円で囲まれた部分の拡大図である。
【図１２】図１１に示される状態よりもさらに操作コードを操作コード用係止具に係止させた状態を示す正面図である。
【図１３】第１の実施形態の応用例に係る操作コード用係止具の分解斜視図である。
【図１４】第１の実施形態の応用例に係る操作コード用係止具の側面図である。
【図１５】第２の実施形態に係る操作コード用係止具の側面図である。
【図１６】第２の実施形態に係る操作コード用係止具の断面図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（第１の実施形態）
本発明の第１の実施形態について説明する。本実施形態に係るブラインドの操作コード用係止具（以下、単に操作コード用係止具という。）は、ブラインドのヘッドボックスから吊り下げられるスラットを回転操作可能な操作棒に、スラットを開閉操作可能な操作コードを係止するためのものである。まず、本実施形態に係る操作コード用係止具を実施したブラインドの全体構成について説明する。なお、ブラインドの一例として横型ブラインドを例に挙げて説明する。
【００１８】
図１は、ブラインドの全体構成を示す正面図である。ブラインド１００は、図１に示したように、ヘッドボックス１１０と、ヘッドボックス１１０から昇降及び回転可能に吊り下げられる多数のスラット１２０と、スラット１２０を回転操作可能な操作棒１３０と、スラット１２０を昇降可能な操作コード１４０と、操作棒１３０に取り付けられ、操作コード１４０を係止する操作コード用係止具１５０と、多数のスラット１２０を整列状態に載置するラダーコード１６０と、最下段のスラット１２０の下方に配置され、操作コード１４０の一端部が連結されるボトムレール１７０と、を備えて構成される。
【００１９】
ヘッドボックス１１０は、図示していない窓枠等に固定され、ラダーコード１６０が傾動可能に垂下する。スラット１２０は、前述のように、ラダーコード１６０に整列状態に載置され、ラダーコード１６０の傾動に応じて回転する。
【００２０】
また、操作棒１３０は、ヘッドボックス１１０の一端に設けられ、回転することによりラダーコード１６０を傾動させて、スラット１２０を回転させる。操作棒１３０は、断面が六角形状であり、その外周面に、後述する操作コード用係止具１５０が取り付けられる。なお、操作棒１３０の形状は、本実施形態では、一例として断面が六角形状としたが、これに限定されず、操作コード用係止具１５０が取り付けられる形状であれば、断面が八角形状であったり、円形であったりと、適宜設定することができる。
【００２１】
操作コード１４０は、最下段のスラット１２０の下方に配置されるボトムレール１７０に一端部が連結されるとともに他端部がヘッドボックス１１０内に導入されてヘッドボックス１１０の一端から導出され、操作棒１３０内を挿通して操作棒１３０の下端から導出される。操作コード１４０は他端が引き下ろされることにより、一端がボトムレール１７０を引き上げ、これにより、スラット１２０を上昇させる。一方、操作コード１４０は他端を操作すると、ボトムレール１７０の自重により他端が引き上げられることにより、一端がボトムレール１７０とともに下降し、これにより、スラット１２０を下降させる。本実施形態では、操作コード１４０の数を３本として説明するが、ブラインドの大きさやデザインなどに応じて、操作コードの数を２本にしたり、４本以上にしたりすることができる。
【００２２】
以上、本実施形態に係る操作コード用係止具を実施したブラインドの全体構成について説明した。以下では、本実施形態に特徴的な構成要素である操作コード用係止具１５０について説明する。
【００２３】
（操作コード用係止具１５０）
まず、本実施形態の操作コード用係止具１５０の全体の構成について、図２〜図４を参照しながら説明する。図２は、第１の実施形態の操作コード用係止具の分解斜視図であり、図３は、操作コード用係止具の斜視図である。図４は、操作コード用係止具の断面図である。
【００２４】
操作コード用係止具１５０は、図２〜図４に示したように、操作棒１３０に固定するための連結部２１０を有するベース２００と、ベース２００に対して回動可能に軸支されるフック３００と、を備えている。ベース２００とフック３００は、Ｕ字状の板バネ４００によって連結される。以下、操作コード用係止具１５０の各構成について、図２〜図４を参照しながら説明する。
【００２５】
（ベース２００）
ベース２００は、図２〜図４に示したように、操作棒１３０の外周面を包囲するように設けられる上述の連結部２１０と、連結部２１０の下方に操作棒１３０の軸方向に沿ってフック３００のほぼ全長にわたって設けられる延長部２２０と、からなる。
【００２６】
連結部２１０は、弾性変形可能に構成されており、これの内周面が、断面が六角形状である操作棒１３０の６つの辺のうちの５つの辺に嵌り合う形状を備えている。また、連結部２１０の外周面には、フック３００が回動可能に係合する半円柱状の凹部である係合凹部２３０と、図４に示したように、前述のＵ字状の板バネ４００の一方の片が挿入される溝状の挿入溝２４０とが設けられている。なお、本実施形態では、一例として、連結部２１０は、これの内周面が操作棒１３０の５つの辺に嵌り合う形状としたが、操作棒１３０の形状に応じて、連結部２１０の内周面の形状を適宜変更することができる。また、連結部２１０の操作棒１３０への固定は、上記構成に限らず、例えば、操作棒１３０に突起を設け、連結部２１０に溝を設けて、突起を溝に挿入することによって操作棒１３０に連結部２１０を固定するようにしてもよい。
【００２７】
延長部２２０は、連結部２１０の下方に延びており、これの内周面が操作棒１３０の３つの辺に沿った形状を備えている。
【００２８】
（フック３００）
フック３００は、ベース２００の延長部２２０と対向し、延長部２２０との間に空隙を形成する係止部３１０と、フック３００の一端部に形成され、係止部３１０の回動を操作可能な操作部３２０と、を備えて構成される。
【００２９】
係止部３１０には、ベース２００の延長部２２０に向かって突出し、１又は２以上の操作コード１４０をベース２００の延長部２２０に対して挟着する挟着片３３０と、挟着片３３０よりもさらに係止部３１０の先端側に、ベース２００に向かって突出する凸部３４０が形成されている。挟着片３３０は、薄板状の形状をしており、幅の狭い側面が延長部２２０と対面し、この部分で操作コード１４０を挟着するように設けられている。また、挟着片３３０は、凸部３４０を除いた係止部３１０の長さ方向ほぼ全長にわたって形成されている。これにより、フック３００は、係止部３１０のほぼ全長にわたって操作コード１４０を挟着することができるため、操作コード１４０の数が多い大型のブラインドや操作コード１４０の複数個所を係止する場合などにも対応できる。なお、本実施形態における挟着片３３０の形状は一例であり、例えば、係止部３１０の一部分に設けるなど、適宜設定することができる。
【００３０】
操作部３２０には、ベース２００の係合凹部２３０に回動可能に係合する略円柱状の係合部３５０と、Ｕ字状の板バネ４００の他方の辺が挿入される挿入部３６０が形成されている。
【００３１】
以上、操作コード用係止具１５０を構成するベース２００とフック３００の構成について説明した。操作コード用係止具１５０は、図４に示したように、ベース２００の係合凹部２３０にフック３００の係合部３５０を係合し、ベース２００の挿入溝２４０に板バネ４００の一方の片を挿入するとともに、フック３００の挿入部３６０に板バネ４００の他方の辺を挿入することにより、構成される。操作コード用係止具１５０は、これが操作されていないときは、板バネ４００の弾性力により、フック３００の係止部３１０がベース２００の延長部２２０方向に常時付勢された状態となっている。この状態のときには、ベース２００と挟着片３３０との間に操作コード１４０が挟着される程度の間隔が形成されているとともに、凸部３４０がベース２００の延長部２２０に当接している。なお、本実施形態では、凸部３４０が延長部２２０に当接する構成としたが、凸部３４０と延長部２２０の間から操作コード１４０が自重により落下しなければ、空隙があってもよい。
【００３２】
このように構成される操作コード用係止具１５０の操作棒１３０への取り付けは、図５に示したように、操作棒１３０の外周面の形状と、連結部２１０の内周面の形状とを対応させて、操作棒１３０の外周面を包囲するように連結部２１０を弾性変形させて嵌めわせる。これにより、操作棒１３０にベース２００が弾性的に取り付けられる。このように、操作棒１３０にベース２００が取り付けられた状態において、ベース２００の延長部２２０の内周面も操作棒１３０の外周面に当接した状態となるため、連結部２１０の外れ止めになる。よって、使用中に、操作コード用係止具１５０が操作棒１３０から不用意に外れてしまうことを防止できる。
【００３３】
以上、本実施形態に係る操作コード用係止具１５０について説明した。以下に、この操作コード用係止具１５０の作用について、図６〜図１１を参照しながら説明する。
【００３４】
ブラインド１００は、図６に示したように、操作コード１４０を操作して、スラット１２０を上昇させると、操作コード１４０の垂れ下がり量が多くなる。このように、大きく垂れ下がった操作コード１４０の垂れ下がり量を小さくするために、まず、図７（ａ）に示すように、垂れ下がった操作コード１４０の一か所をつまんで引き上げる。このときの操作コード用係止具１５０は、図７（ｂ）、（ｃ）に示したように、ベース２００の延長部２２０と挟着片３３０との間に操作コード１４０が挟着される程度の空隙が形成されているとともに、凸部３４０がベース２００に当接している。
【００３５】
次に、図８（ａ）、（ｂ）に示したように、フック３００の操作部３２０をベース２００方向に押圧するように操作する。これにより、係止部３１０が延長部２２０から離間する方向に回動するため、凸部３４０がベース２００の延長部２２０から離間する。この後、凸部３４０と延長部２２０の間から延長部２２０と挟着片３３０との間の空隙に引き上げた操作コード１４０を挿入する。
【００３６】
その後、操作部３２０の操作を止めると、図９（ａ）、（ｂ）に示したように、板バネ４００の弾性力により、係止部３１０を延長部２２０に接近させる方向にフック３００が回動する。凸部３４０が延長部２２０に当接するまでフック３００が回動すると、板バネ４００の弾性力により、係止部３１０が延長部２２０方向に常時付勢される。これにより、操作コード１４０が挟着片３３０とベース２００に挟着され、操作コード１４０が自重によりこれの長さ方向に移動してしまうことが防止される。さらに、操作コード１４０は、凸部３４０によって下方への移動が規制されるため、操作コード用係止具１５０からの脱落が防止される。
【００３７】
このように操作コード用係止具１５０に操作コード１４０を係止することにより、図１０に示したように、操作コード用係止具１５０に係止された部分を境に操作コード１４０が操作コード用係止具１５０の両側部から垂れ下がることになる。よって、図１１に示したように、操作コード１４０の垂れ下がりが小さくなる。
【００３８】
操作コード１４０の垂れ下がりをさらに小さくしたい場合、操作コード用係止具１５０から垂れ下がった操作コード１４０をつまんで引き上げ、上記と同じ方法で操作コード用係止具１５０に係止させる。これにより、図１２に示したように、操作コード１４０の垂れ下がりがさらに小さくなる。
【００３９】
このように、操作コード用係止具１５０に操作コード１４０を係止した状態のブラインド１００において、スラット１２０を昇降操作する際には、フック３００の操作部３２０をベース２００の方向に押圧する操作をする。これにより、係止部３１０が回動し、挟着片３３０及び凸部３４０がベース２００の延長部２２０から大きく離間する。これにより、操作コード用係止具１５０による操作コード１４０のすべての保持が一度に解除されて、すべての操作コード１４０が一度に垂れ下がり、図１に示した操作可能な状態に復帰する。これにより、素早く操作コード１４０の操作を行うことができる。
【００４０】
（第１の実施形態の効果）
以上説明したように、本実施形態によれば、スラット１２０の昇降操作を行わないときは、回動可能なフック３００とベース２００との間に形成された空隙に垂れ下がった操作コード１４０を係止することで操作コード１４０が大きく垂れ下がることを防止することができる。一方、スラット１２０の開閉操作を行うときは、操作部３２０をベース２００方向に押圧することによって係止部３１０を回動させて、係止部３１０とベース２００の延長部２２０との間の空隙を拡げる。これにより、操作コード１４０のすべての係止を一度に解除することができるため、すべての操作コード１４０が一度に垂れ下がって操作可能な状態に復帰する。このため、素早く操作コード１４０の操作に移行することができる。
【００４１】
また、操作コード１４０はフック３００の凸部３４０とベース２００の延長部２２０との間で挟み込むのではなく、挟着片３３０とベース２００の延長部２２０との間で挟着するようにしたことで、複数に束ねられた操作コード１４０が自重で操作コード１４０の長さ方向に移動して操作コード用係止具１５０から脱落することを防止できる。
【００４２】
さらに、連結部２１０をベース２００の全長ではなくフック３００を軸支する部分に設け、さらにベース２００に延長部２２０を形成したことで、操作棒１３０の操作コード用係止具１５０への連結作業がしやすくなる。これに加え、フック３００の操作部３２０側あるいは連結部２１０側においてベース２００に何らかの外力がかかっても、延長部２２０が操作棒１３０に当接した状態にあって連結部２１０の外れ止めになる。このため、操作コード用係止具１５０が操作棒１３０から不用意に外れてしまうことを防止できる。
【００４３】
（第１の実施形態の応用例）
第１の実施形態の応用例について、図１３及び図１４を参照しながら説明する。本応用例は、ベース２００及び板バネ４００の構成は第１の実施形態と同じであるが、フック３００の構成を第１の実施形態から変更したものである。
【００４４】
本応用例のフック３００は、図１３及び図１４に示したように、第１の実施形態のフック３００に挟着片３３０を設けない構成とし、係止部３１０とベース２００の延長部２２０の間に形成される空隙に操作コード１４０を収容し、保持するようにしたものである。本応用例においても、第１の実施形態と同様に、操作コード１４０が複数本であったり、複数回折り返されたりしても、係止部３１０と延長部２２０の間の空隙に収めることができるとともに、凸部３４０によって操作コード１４０の落下を防止することができる。
【００４５】
（第２の実施形態）
次に、第２の実施形態に係る操作コード用係止具の構成について、図１５及び図１６を参照しながら説明する。図１５は、本実施形態に係る操作コード用係止具の側面図である。図１６は、本実施形態に係る操作コード用係止具の断面図である。なお、本実施形態では、上記第１の実施形態と異なる点を中心に説明する。実質的に同一の機能構成を有する構成要素については、同一の符号を付することにより重複説明を省略する。
【００４６】
本実施形態の操作コード用係止具５５０は、図１５及び図１６に示したように、フック７００及び板バネ８００の構成は、第１の実施形態の対応する構成と同じであるが、ベース６００の構成を第１の実施形態から変更したものである。
【００４７】
本実施形態の操作コード用係止具５５０のベース６００は、図１５及び図１６に示したように、上記第１の実施形態の延長部２２０に相当する構成が設けられておらず、操作棒１３０に操作コード用係止具５５０を連結するための連結部６１０のみで構成されている。このような構成にしたことにより、本実施形態の操作コード用係止具５５０においては、フック７００の係止部７１０は、操作棒１３０との間で空隙を形成する。よって、操作コード用係止具５５０に操作コード１４０を係止した際には、挟着片７３０は操作棒１３０との間で操作コード１４０を挟着し、操作コード１４０の自重による操作コード１４０の長さ方向への移動を規制する。また、凸部７４０は操作棒１３０と当接し、操作コード１４０の脱落を防止する。その他の部分の構成及び操作コード用係止具５５０の作用については、上記第１の実施形態と同様であるため、重複説明を省略する。
【００４８】
（第２の実施形態の効果）
以上説明したように、本実施形態によれば、第１の実施形態と同様の効果を奏するとともに、ベース６００に延長部を設けず連結部６１０のみの構成としたことにより、構造が簡単で、生産コストを低減できる。
【００４９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５０】
例えば、上記実施形態では、フック３００には、フック３００を回動操作するための操作部３２０が形成され、操作部３２０をベース２００の方向に押圧することで、操作コード１４０を操作コード係止具１５０に保持させる場合について説明したが、本発明はこれに限定されず、操作部３２０を形成しなくてもよい。この場合、フック３００を直接指で手前に引いて回動させたり、あるいは、操作コード１４０を操作コード係止具１５０に挿入する力によって、フック３００を回動させたりなどしてもよい。
【００５１】
また、ベース２００とフック３００は、Ｕ字状の板バネ４００によって連結するようにしたが、例えばベース２００に一対の突起を形成してフック３００に形成した一対の凹部に係合させることによって、フック３００をベース２００に対して回動可能に支持させてもよい。この場合、Ｕ字状の板バネ４００ではなくコイルバネを利用することで、フック３００の係止部３１０をベース２００方向に常時付勢し、操作コード１４０を挟着することができる。
【００５２】
また、上記実施形態では、横型ブラインドを例に挙げて説明したが、本発明はこれに限定されない。本発明の操作コード用係止具は、縦型ブラインドにも適用可能である。
【符号の説明】
【００５３】
１００  ブラインド
１１０  ヘッドボックス
１２０  スラット（遮蔽材）
１３０  操作棒
１４０  操作コード
１５０  操作コード用係止具
１６０  ラダーコード
１７０  ボトムレール
２００  ベース
２１０  連結部
２２０  延長部
２３０  係合凹部
２４０  挿入溝
３００  フック
３１０  係止部
３２０  操作部
３３０  挟着片
３４０  凸部
３５０  係合部
３６０  挿入部
４００  板バネ
５５０  操作コード用止め具
６００  ベース
６１０  連結部
７００  フック
７１０  係止部
７３０  挟着片
７４０  凸部
【図１】
2016056583.tif 000003
【図２】
2016056583.tif 000004
【図３】
2016056583.tif 000005
【図４】
2016056583.tif 000006
【図５】
2016056583.tif 000007
【図６】
2016056583.tif 000008
【図７】
2016056583.tif 000009
【図８】
2016056583.tif 000010
【図９】
2016056583.tif 000011
【図１０】
2016056583.tif 000012
【図１１】
2016056583.tif 000013
【図１２】
2016056583.tif 000014
【図１３】
2016056583.tif 000015
【図１４】
2016056583.tif 000016
【図１５】
2016056583.tif 000017
【図１６】
2016056583.tif 000018